(57)【特許請求の範囲】
【請求項１】
相対向する第１及び第２端壁（１ａ，１ｂ）間を側壁（１ｃ）を介して一体に連結してなるコ字状の、磁性体からなるハウジング（１）と、前記第１及び第２端壁（１ａ，１ｂ）間に配置されるボビン（２）と、このボビン（２）に巻装されるコイル（３）と、このボビン（２）に囲繞されて前記第１端壁（１ａ）に固着される固定コア（５）と、前記ボビン（２）内から前記第２端壁（１ｂ）を貫通して延びるように配置され、前記コイル（３）の励磁により前記固定コア（５）に吸着される可動プランジャ（６）と、この可動プランジャ（６）を前記固定コア（５）から離間する方向に付勢する戻しばね（２５）と、前記ボビン（２）に連設され、前記コイル（３）に連なるカプラ端子（３４）を備えるカプラ（３５）と、前記コイル（３）を覆って前記ハウジング（１）に取り付けられるコイルカバー（７ａ）とを備える電磁アクチュエータにおいて、
前記コイルカバー（７ａ）を、前記ボビン（２）及びコイル（３）を収容するよう筒状に形成すると共に、このコイルカバー（７ａ）に、その軸線周りの所定位置に前記カプラ（３５）を保持する位置決め手段（４１）を設け、前記カプラ（３５）を前記ハウジング（１）の一側に配置する第１使用態様と、前記ハウジング（１）の他側に配置する第２使用態様とを選択し得るよう、前記コイルカバー（７ａ）に、前記ハウジング（１）に対する二つの取り付け位置を設け、前記コイルカバー（７ａ）に、中空部（４３）を有する嵌合取り付け部（７ｃ）を一体に成形して、該中空部（４３）にその一端側から前記第２端壁（１ｂ）を嵌合すると前記カプラ（３５）が前記第１使用態様となり、また該中空部（４３）にその他端側から前記第２端壁（１ｂ）を嵌合すると前記カプラ（３５）が前記第２使用態様となるようにしたことを特徴とする、電磁アクチュエータ。
【請求項２】
請求項１記載の電磁アクチュエータにおいて、
前記位置決め手段として、前記カプラ（３５）の根元に嵌合するカプラ保持部（４１）を前記コイルカバー（７ａ）に一体に成形したことを特徴とする、電磁アクチュエータ。
【請求項３】
請求項１又は２記載の電磁アクチュエータにおいて、
前記第１端壁（１ａ）を前記側壁（１ｃ）より幅狭に形成し、この第１端壁（１ａ）の一側と他側に選択的に前記カプラ（３５）を隣接配置したことを特徴とする、電磁アクチュエータ。
【請求項４】
請求項１〜３の何れかに記載の電磁アクチュエータにおいて、
前記ハウジング（１）の支持体（Ｓ）へのねじ止めに使用する取り付けボス（９）を前記側壁（１ｃ）に、その内面側に突出するように形成する一方、この取り付けボス（９）の突出端部を受容し得る逃げ孔（４２）を前記コイルカバー（７ａ）の相対向する両側壁に設けたことを特徴とする、電磁アクチュエータ。
【請求項５】
請求項１〜４の何れかに記載の電磁アクチュエータにおいて、
前記コイルカバー（７ａ）に、前記可動プランジャ（６）の外端部外周を覆うプランジャカバー（７ｂ）と、前記可動プランジャ（６）の外端部に連結したジョイント部材（２４）の円形フランジ（３１）に係合して該ジョイント部材（２４）の外方移動を規制するストッパ腕（４５）とを一体に成形したことを特徴とする、電磁アクチュエータ。
【発明の詳細な説明】
【０００１】
【発明の属する技術分野】
本発明は、相対向する第１及び第２端壁間を側壁を介して一体に連結してなるコ字状の、磁性体からなるハウジングと、前記第１及び第２端壁間に配置されるボビンと、このボビンに巻装されるコイルと、このボビンに囲繞されて前記第１端壁に固着される固定コアと、前記ボビン内から前記第２端壁を貫通して延びるように配置され、前記コイルの励磁により前記固定コアに吸着される可動プランジャと、この可動プランジャを前記固定コアから離間する方向に付勢する戻しばねと、前記ボビンに連設され、前記コイルに連なるカプラ端子を備えるカプラと、前記コイルを覆って前記ハウジングに取り付けられるコイルカバーとを備える電磁アクチュエータに関する。
【０００２】
【従来の技術】
かゝる電磁アクチュエータは、例えば特開平９−９２５２８号公報に開示されているように、既に知られている。
【０００３】
【発明が解決しようとする課題】
電磁アクチュエータでは、その使用状態に応じてカプラをハウジングの一側又は他側に選択的に配置し得ることが要求されることがある。その場合、従来の電磁アクチュエータでは、そのような要求がある場合には、カプラをハウジングの一側又は他側に配置した２種類の電磁アクチュエータを個別に製作していたので、全体として部品点数が大幅に増加してしまい、コストアップを招くことになる。
【０００４】
本発明は、かゝる事情に鑑みてなされたもので、同一の部品を使用しながら、カプラをハウジングの一側又は他側に選択的に配置し得るようにした前記電磁アクチュエータを提供することを目的とする。
【０００５】
【課題を解決するための手段】
上記目的を達成するために、本発明は、相対向する第１及び第２端壁間を側壁を介して一体に連結してなるコ字状の、磁性体からなるハウジングと、前記第１及び第２端壁間に配置されるボビンと、このボビンに巻装されるコイルと、このボビンに囲繞されて前記第１端壁に固着される固定コアと、前記ボビン内から前記第２端壁を貫通して延びるように配置され、前記コイルの励磁により前記固定コアに吸着される可動プランジャと、この可動プランジャを前記固定コアから離間する方向に付勢する戻しばねと、前記ボビンに連設され、前記コイルに連なるカプラ端子を備えるカプラと、前記コイルを覆って前記ハウジングに取り付けられるコイルカバーとを備える電磁アクチュエータにおいて、前記コイルカバーを、前記ボビン及びコイルを収容するよう筒状に形成すると共に、このコイルカバーに、その軸線周りの所定位置に前記カプラを保持する位置決め手段を設け、前記カプラを前記ハウジングの一側に配置する第１使用態様と、前記ハウジングの他側に配置する第２使用態様とを選択し得るよう、前記コイルカバーに、前記ハウジングに対する二つの取り付け位置を設け、前記コイルカバーに、中空部を有する嵌合取り付け部を一体に成形して、該中空部にその一端側から前記第２端壁を嵌合すると前記カプラが前記第１使用態様となり、また該中空部にその他端側から前記第２端壁を嵌合すると前記カプラが前記第２使用態様となるようにしたことを第１の特徴とする。
【０００６】
この第１の特徴によれば、ハウジングに対するコイルカバーの取り付け位置を変更するのみ、カプラをハウジングの一側に配置する第１使用態様と、他側に配置する第２使用態様とを選択することができる。したがって部品点数の増加を伴うことなく、カプラの位置を異にする二タイプの電磁アクチュエータを廉価に提供することが可能となる。しかもコイルカバーの嵌合取り付け部への端壁の嵌合方向を変えるだけで、カプラの位置を異にする二タイプの電磁アクチュエータを簡単に得ることができる。
【０００７】
また本発明は、第１の特徴に加えて、前記位置決め手段として、前記カプラの根元に嵌合するカプラ保持部を前記コイルカバーに一体に成形したことを第２の特徴とする。
【０００８】
この第２の特徴によれば、カプラ保持部がカプラの根元に嵌合することにより、カプラの位置決めと補強を簡単、確実に行うことができる。
【０００９】
さらに本発明は、第１又は第２の特徴に加えて、前記第１端壁を前記側壁より幅狭に形成し、この第１端壁の一側と他側に選択的に前記カプラを隣接配置したことを第３の特徴とする。
【００１０】
この第３の特徴によれば、ハウジングにおいて、第１端壁を側壁より幅狭に設定した分、第１端壁一側又は他側に隣接して配置されるカプラハウジングのハウジングからの側方張り出し量が減少することになり、電磁アクチュエータＡのコンパクト化を図ることができる。
【００１１】
さらにまた本発明は、第１〜３の特徴の何れかに加えて、前記ハウジングの支持体へのねじ止めに使用する取り付けボスを前記側壁に、その内面側に突出するように形成する一方、この取り付けボスの突出端部を受容し得る逃げ孔を前記コイルカバーの相対向する両側壁に設けたことを第４の特徴とする。
【００１２】
この第４の特徴によれば、前記第１及び第２使用態様時でも、取り付けボスに干渉されることなく、コイルカバーをハウジングに取り付けることができる。しかも取り付けボスには、有効長がハウジングの板厚より充分に長いねじ孔を形成でき、支持体へのねじ止めを強固に行うことができる。
【００１３】
さらにまた本発明は、第１〜４の特徴の何れかに加えて、前記コイルカバーに、前記可動プランジャの外端部外周を覆うプランジャカバーと、前記可動プランジャの外端部に連結したジョイント部材の円形フランジに係合して該ジョイント部材の外方移動を規制するストッパ腕とを一体に成形したことを第５の特徴とする。
【００１４】
この第５の特徴によれば、前記第１及び第２使用態様の何れのときでも、可動プランジャのハウジング外に露出した部分をコイルカバーと一体のプランジャカバーで覆い、塵埃の侵入や他物との接触から保護することができると共に、プランジャカバーと一体のストッパ腕により可動プランジャの抜け出しを防止することができ、したがって簡単な構造をもって、電磁アクチュエータの運搬その他の取り扱い中、可動プランジャが脱落することを防ぎ、その取り扱いがし易くなる。またその際、ストッパ腕に係合するジョイント部材のフランジを円形とすることにより、可動プランジャの如何なる回動位置でも、該フランジとストッパ腕との係合を常に確実に行うことができる。
【００１５】
【発明の実施の形態】
本発明の実施の形態を、添付図面に示す本発明の実施例に基いて説明する。
【００１６】
図１は本発明に係る電磁アクチュエータの縦断平面図、図２は図１の２−２線断面図、図３は図１の３矢視図、図４は図１の４矢視図、図５は図１の５−５線断面図、図６は同電磁アクチュエータのハウジングの斜視図、図７は同電磁アクチュエータのカバー組立体の一端側から見た斜視図、図８は同カバー組立体の他端側から見た斜視図、図９は同電磁アクチュエータの組立工程説明図である。
【００１７】
図１〜図６に示すように、電磁アクチュエータＡは、ハウジング１、ボビン２、コイル３、案内スリーブ４、固定コア５、可動プランジャ６及びカバー組立体７を主たる構成要素とする。
【００１８】
図１及び図６において、ハウジング１は１枚の磁性鋼板をコ字状にプレス成形してなるもので、相対向する前後の第１及び第２端壁１ａ，１ｂと、これらを連結する側壁１ｃとからなっており、特に第１端壁１ａの両側縁は、側壁１ｃの両側縁より内側に寄っていて、第１端壁１ａの横幅は側壁１ｃの横幅よりも小さく設定されている。側壁１ｃには位置決め突起８及び取り付けボス９が設けられ、これらを利用して電磁アクチュエータＡは、適当な支持体Ｓの定位置にボルト１０により固着される。ハウジング１の第１端壁１ａには、その中心部に小径支持孔１１が穿設される。第２端壁１ｂには、上記小径支持孔１１と同軸線上に並ぶ大径支持孔１２が穿設される。取り付けボス９は、側壁１ｃの外側からのバーリング加工により、側壁１ｃ内面側に突出するように形成される。したがって、取り付けボス９には、有効長が側壁１ｃの板厚より充分に長いねじ孔を形成でき、支持体Ｓへのねじ止めを強固に行うことができる。
【００１９】
図２及び図３において、ボビン２は合成樹脂製であって、コイル３を巻装する円胴２ｃと、この円胴２ｃの一端に連なる厚肉フランジ２ａと、円胴２ｃの他端に連なる薄肉フランジ２ｂとからなっている。円胴２ｃの内径は前記大径支持孔１２と略同径に設定され、また両フランジ２ａ，２ｂの外面間距離は、前記ハウジング１の両端壁１ａ，１ｂの内面間距離と略等しく設定される。
【００２０】
厚肉フランジ２ａには、その外周縁部から軸方向外方へ延出するカプラハウジング１３が一体に連設される。このカプラハウジング１３はボビン２と一体成形される。したがって、ボビン２をハウジング１の両端壁１ａ，１ｂ間に挿入すれば、ボビン２の厚肉フランジ２ａはハウジング１の第１端壁１ａ内面に、薄肉フランジ２ｂは第２端壁１ｂ内面にそれぞれ密着して、ボビン２の軸方向の動きが阻止される。その際、ボビン２は、カプラハウジング１３が電磁アクチュエータＡの使用状態に応じて第１端壁１ａの一側又は他側にくるように、配置される（図３及び図４参照）。
【００２１】
ところで、ハウジング１では、前述のように、第１端壁１ａの横幅が側壁１ｃの横幅よりも小さく設定されているので、その横幅を小さくした分、第１端壁１ａの一側又は他側に隣接配置されるカプラハウジング１３のハウジング１からの側方張り出し量が減少することになり、電磁アクチュエータＡのコンパクト化を図ることができる。
【００２２】
ボビン２の円胴２ｃ及び第２端壁１ｂの大径支持孔１２に非磁性金属製の案内スリーブ４が嵌装され、この案内スリーブ４内に固定コア５及び可動プランジャ６が配設され、可動プランジャ６は案内スリーブ４内を摺動可能である。
【００２３】
固定コア５は円柱状をなしており、この一端部外周に環状溝１９が、またその一端面に小軸２０が形成される。さらにその他端部には、その端面に開口するテーパ孔２１と、このテーパ孔２１の小径端に連なる凹部２２とが設けられる。この固定コア５は案内スリーブ４の一端部内周面に密合され、該スリーブ４の、前記環状溝１９との対応部分を数個所かしめることにより、該スリーブ４の内周面から隆起させた数個のかしめ突起２３が前記環状溝１９に係止される。このようなかしめ結合を行うと、比較的軽いかしめ力をもってかしめ突起２３の形成が可能であり、案内スリーブ４及び固定コア５の歪みを防ぎ、両者４，５の同軸性を確保することができる。
【００２４】
また固定コア５は、その小軸２０をハウジング１の第１端壁１ａの小径支持孔１１に挿通されて該端壁１ａの内面に密着するように配置され、小軸２０の外端は、かしめにより膨大部２０ａに形成される。こうして固定コア５はハウジング１の第１端壁１ａに固着される。したがって、案内スリーブ４は固定コア５を介してハウジング１に固定されることになる。
【００２５】
案内スリーブ４の他端部は、ハウジング１の第２端壁１ｂの大径支持孔１２に嵌挿されると共に、その第２端壁１ｂから外方へ長く突出する。この突出により案内スリーブ４の可動プランジャ６に対する支持スパンが増加し、可動プランジャ６の傾きを極力抑えることができる。
【００２６】
可動プランジャ６は、固定コア５のテーパ孔２１に対応するテーパ軸部６ａを内端に有する。このテーパ軸部６ａの端面には、膨大頭部３２ａを有する小軸３２が突設され、これにゴム等からなる弾性ストッパ３３が装着される。この弾性ストッパ３３は、可動プランジャ６の固定コア５に対する近接距離を一定に規制すべく固定コア５の前記凹部２２の底面に当接するようになっており、その当接衝撃は弾性ストッパ３３自体の圧縮変形により吸収される。
【００２７】
可動プランジャ６の、案内スリーブ４から突出した外端にはジョイント部材２４が付設される。このジョイント部材２４は合成樹脂製で、円筒部２４ａと、その端壁２４ｂから突出する目玉部２４ｃとからなっており、その円筒部２４ａが可動プランジャ６の外端部外周面に圧入結合され、目玉部２４ｃには被作動部材２６が連結されるようになっている。また円筒部２４ａには、複数の横孔２７と、この横孔２７に臨んで先端の爪部を半径方向内向きに屈曲させた係止爪２８とが一体に形成され、この係止爪２８は、円筒部２４ａに圧入された可動プランジャ６の外端面が端壁２４ｂに当接したとき、可動プランジャ６の外周の環状溝２９に自己の弾性力をもって係合する。したがって、円筒部２４ａ及び可動プランジャ６の圧入結合に万一緩みが生じても、ジョイント部材２４の離脱を防ぐことができる。
【００２８】
さらにジョイント部材２４の円筒部２４ａの内端側外周面には、テーパ部３０と、このテーパ部３０の大径端から立上る円形のフランジ３１（図５参照）とが形成される。このフランジ３１と、ハウジング１の第２端壁１ｂとの間に、テーパコイルばねからなる戻しばね２５が縮設され、そのばね力により可動プランジャ６は固定コア５から離間する方向に付勢される。
【００２９】
而して、コイル３に通電してこれを励磁すると、ハウジング１を通して固定コア５及び可動プランジャ６に流れる磁束により、両コア５，６相互に吸引力が発生し、可動プランジャ６は図２の実線位置から戻しばね２５を圧縮しつゝ固定コア５に向って前進して、被作動部材２６を作動する。
【００３０】
ボビン２の厚肉フランジ２ａからカプラハウジング１３にかけて、コイル３の両端末に接続される一対のカプラ端子３４がモード結合される。また両カプラ端子３４間にはノイズ防止用ダイオード３８が接続され、このダイオード３８を収容するための凹部３９が厚肉フランジ２ａの外端面に形成される。これによりダイオード３８を他物との接触や塵埃等の侵入から保護することができる。
【００３１】
上記カプラハウジング１３及び一対のカプラ端子３８によりカプラ３５が構成されるもので、これに図示しない電源側カプラが接続される。
【００３２】
このカプラ３５は、ボビン２の、前記ジョイント部材２４と反対側の端部、即ち厚肉フランジ２ａに連設される。こうすることにより、カプラ３５及びジョイント部材２４間の距離を大きく設定することが可能となり、前記電源側カプラのリード線とジョイント部材２４との干渉を確実に防ぐことができる。
【００３３】
ハウジング１には、コイル３と、可動プランジャ６のハウジング１外に露出した部分とを覆う合成樹脂製のカバー組立体７が取付けられる。このカバー組立体７について、図２、図７及び図８により説明する。
【００３４】
カバー組立体７は、コイル３をその外周面全体を覆うコイルカバー７ａと、可動プランジャ６のハウジング１外に露出した部分を覆うプランジャカバー７ｂと、これらカバー７ａ，７ｂを一体に結合する共通の嵌合取り付け部７ｃとから構成される。
【００３５】
コイルカバー７ａは、横断面が長方形の角筒状をなしていて、コイル３の外周を覆いながらハウジング１の第１、第２両端壁１ａ，１ｂ間に配置される。その際、コイルカバー７ａの長方形断面の長辺側がハウジング１の側壁１ｃと平行に配置される。このコイルカバー７ａの長辺側の相対向する側壁内面には、前記ボビン２の両フランジ２ａ，２ｂの外周面の一部が嵌合する断面円弧状の位置決め溝４０が形成される。
【００３６】
またコイルカバー７ａには、プランジャカバー７ｂと反対側において、長方形断面の短辺側一側縁に前記カプラハウジング１３の根元に嵌合する断面コ字状のカプラ保持部４１が一体に形成される。
【００３７】
さらにコイルカバー７ａには、長辺側の両側壁にそれぞれ一対の逃げ孔４２が穿設される。これら逃げ孔４２は、長辺側の各側壁がハウジング１の側壁１ｃ内面に重ねられたとき、該側壁１ｃの取り付けボス９の突出端部を受け入れ可能に配置される。したがって、カプラ保持部４１の位置をハウジング１の第１端壁１ａの左側及び右側に何れにも選択し得るように、コイルカバー７ａの長辺側の両側壁は、何れも取り付けボス９に干渉されることなくハウジング１の側壁１ｃ内面に重ねることが可能である。かくして、ハウジング１に対するコイルカバー７ａの取り付け位置を変更するのみ、カプラ３５をハウジング１の一側に配置する第１使用態様と、他側に配置する第２使用態様とを選択することができ、したがって部品点数の増加を伴うことなく、カプラ３５の位置を異にする二タイプの電磁アクチュエータＡを廉価に提供することが可能となる。
【００３８】
また各逃げ孔４２及び前記嵌合取り付け部７ｃは、それらの軸線が互いに平行となるように配置される。こうすることにより、合成樹脂製のカバー組立体７の成形時、嵌合取り付け部７ｃ及び各逃げ孔４２に対する成形金型の抜き方向を同一として、その成形を容易に行うことができる。
【００３９】
一方、プランジャカバー７ｂは円筒状をなしていて、可動プランジャ６のハウジング１外に露出した部分を覆うように配置される。嵌合取り付け部７ｃは、ハウジング１の第２端壁１ｂの断面形状に対応した、両端開放の中空部４３を有しており、その中空部４３に上記第２端壁１ｂが嵌装される。その際、ハウジング１の第１端壁１ａは、コイルカバー７ａの、嵌合取り付け部７ｃとは反対側の端面に当接するようになっており、したがって第２端壁１ｂと協働してコイルカバー７ａを挟持することができる。
【００４０】
プランジャカバー７ｂには、ジョイント部材２４の前記フランジ３１と係合して可動プランジャ６の案内スリーブ４からの離脱を阻止するストッパ腕４５が該カバー７ｂの周壁の一部によって構成される。その際、プランジャカバー７ｂには、ストッパ腕４５の両側に隣接する一対のスリット４６がプランジャカバー７ｂの外端側から切り込まれる。これにより各ストッパ腕４５は、プランジャカバー７ｂの半径方向の弾性が付与される。またスリット４６の切り込み深さがストッパ腕４５の有効長さを決定する。
【００４１】
ストッパ腕４５は、プランジャカバー７ｂに直径線上で対向する二箇所に設けられ、それらの先端には、各ストッパ腕４５の自由状態で前記フランジ３１の外端面に係合し得る内向きのフック４７が一体に形成される。またそのフック４７の外端には斜面４７ａが形成される。この斜面４７ａは、前記ジョイント部材２４のプランジャカバー７ｂへの挿入時、前記フランジ３１により押し退けられてストッパ腕４５を半径方向外方へ撓ませるようになっている。
【００４２】
而して、電磁アクチュエータＡの組み立てに当たっては、図９（Ａ）に示すように、カバー組立体７のコイルカバー７ａ内に、コイル３付きのボビン２を挿入すると共に、カプラハウジング１３の根元をカプラ保持部４１に嵌合する。その際、ボビン２の両フランジ２ａ，２ｂがコイルカバー７ａ内壁の位置決め溝４０に嵌合することにより、ボビン２及びコイルカバー７ａの同心嵌合状態が得られる。またカプラ保持部４１がカプラハウジング１３の根元に嵌合することにより、カプラ３５の位置決めと補強を簡単、確実に行うことができる。その際、カプラ保持部４１の先端面をカプラハウジング１３に突き当てることによりボビン２及びコイルカバー７ａは相互に位置決めされ、厚肉フランジ２ａ及びコイルカバー７ａの外端面同士が面一となり、薄肉フランジ２ｂの外端面と嵌合取り付け部７ｃの内面とが面一となる。
【００４３】
したがって、次いで図９の（Ｂ）に示すように、ハウジング１の第１端壁１ａをコイルカバー７ａ及び厚肉フランジ２ａの外端面に滑らせながら、第２端壁１ｂをカバー組立体７の嵌合取り付け部７ｃの中空部４３に嵌合すれば、両端壁１ａ，１ｂ間にコイルカバー７ａ及びボビン２をスムーズに挟入することができる。その際、第２端壁１ｂを嵌合取り付け部７ｃの両開口部の何れ側から嵌合するかによって、カプラハウジング１３を図２に示すようにハウジング１の上側（実線位置）又は下側（鎖線位置）に配置する。
【００４４】
続いて、図９（Ｃ）に示すように、固定コア５にかしめ結合した案内スリーブ４をハウジング１の大径支持孔１２及びボビン２の円胴２ｃへと挿入すると共に、固定コア５の小軸２０をハウジング１の小径支持孔１１に嵌挿する。そして図９（Ｄ）に示すように、小軸２０の外端をかしめて膨大部２０ａとなす。こうして固定コア５及び案内スリーブ４はハウジング１に固着される。その結果、ボビン２の第１、第２両端壁１ａ，１ｂ間からの離脱、並びにカバー組立体７の嵌合取り付け部７ｃの第２端壁１ｂからの離脱が阻止される。したがって、嵌合取り付け部７ｃの第２端壁１ｂからの離脱防止のための特別な固着部材は不要であるから、構造の簡素化と組立性の向上を図ることができる。
【００４５】
最後に、図２に示すように、戻しばね２５及びジョイント部材２４を装着した可動プランジャ６を案内スリーブ４に挿入する。この場合、ジョイント部材２４がプランジャカバー７ｂ内に押し込まれるとき、そのフランジ３１がプランジャカバー７ｂの一対のストッパ腕４５の斜面４７ａを滑ることにより、ストッパ腕４５を撓ませながらフック４７を外方へ排除するので、フランジ３１はフック４７の前をスムーズに通過することができる。その通過後、可動プランジャ６から押し込み力を解放すれば、戻しばね２５の戻し力をもって可動プランジャ６は後退するが、ジョイント部材２４のフランジ３１の外端面が両ストッパ腕４５のフック４７に係合することにより、可動プランジャ６の案内スリーブ４からの抜け出しが阻止される。
【００４６】
かくして、コイル３及びプランジャ６は、一体のカバー組立体７を構成するコイルカバー７ａ及びプランジャカバー７ｂによってそれぞれ覆われ、塵埃の侵入や他物との接触から保護される。しかも、そのプランジャカバー７ｂを利用して可動プランジャ６の案内スリーブ４からの抜け出しを簡単に防ぐことができる。したがって、電磁アクチュエータＡの運搬その他の取り扱い中、可動プランジャ６が脱落することはなく、その取り扱いがし易くなる。
【００４７】
また組立時、ジョイント部材２４をプランジャカバー７ｂ内に無造作に挿入するだけで、フランジ３１を両ストッパ腕４５のフック４７に係合することができる。しかも、フランジ３１は円形であるため、可動プランジャ６の如何なる回動位置でも、ジョイント部材２４のフランジ３１とストッパ腕４５のフック４７との係合を常に確実に行うことができ、組立性が極めて良好となる。また、電磁アクチュエータＡの分解時には、両ストッパ腕４５を、その弾性力に抗して外方へ撓ませるだけで、各フック４７をジョイント部材２４のフランジ３１から離脱させ、可動プランジャ６を案内スリーブ４から引き出すことができ、メンテナンス性も良好である。
【００４８】
さらに両ストッパ腕４５のフック４７は、フランジ３１の直径線状で対向する両側部に係合するから、フランジ３１との安定した係合状態を常に得ることができる。
【００４９】
さらにまたジョイント部材２４のフランジ３１は、その内側面で戻しばね２５の可動端を支承し、外側面でストッパ腕４５のフック４７と係合するという、異なる二つの機能を果たすので、電磁アクチュエータＡの構造の簡素化及びコンパクト化に寄与することができる。
【００５０】
本発明は、上記実施例に限定されるものではなく、その要旨を逸脱することなく、種々の設計変更が可能である。例えば、固定コア及び案内スリーブを、かしめに代えて、溶接、ろう付け等により結合することもできる。
【００５１】
【発明の効果】
以上のように本発明の第１の特徴によれば、コイルカバーを、ボビン及びコイルを収容するよう筒状に形成すると共に、このコイルカバーに、その軸線周りの所定位置にカプラを保持する位置決め手段を設け、カプラをハウジングの一側に配置する第１使用態様と、ハウジングの他側に配置する第２使用態様とを選択し得るよう、コイルカバーに、ハウジングに対する二つの取り付け位置を設けたので、ハウジングに対するコイルカバーの取り付け位置を変更するのみ、カプラをハウジングの一側に配置する第１使用態様と、他側に配置する第２使用態様とを選択することができる。したがって部品点数の増加を伴うことなく、カプラの位置を異にする二タイプの電磁アクチュエータを廉価に提供することが可能となる。その上、前記コイルカバーに、中空部を有する嵌合取り付け部を一体に成形し、前記中空部にその一端側から前記第２端壁を嵌合すると前記カプラが前記第１使用態様となり、また同中空部にその他端側から前記第２端壁を嵌合すると前記カプラが前記第２使用態様となるようにしたので、コイルカバーの嵌合取り付け部への端壁の嵌合方向を変えるだけで、カプラの位置を異にする二タイプの電磁アクチュエータを簡単に得ることができる。
【００５２】
また本発明の第２の特徴によれば、第１の特徴に加えて、前記位置決め手段として、前記カプラの根元に嵌合するカプラ保持部を前記コイルカバーに一体に成形したので、カプラ保持部がカプラの根元に嵌合することにより、カプラの位置決めと補強を簡単、確実に行うことができる。
【００５３】
さらにまた本発明の第３の特徴によれば、第１又は第２の特徴に加えて、前記第１端壁を前記側壁より幅狭に形成し、この第１端壁の一側と他側に選択的に前記カプラを隣接配置したので、ハウジングにおいて、第１端壁を側壁より幅狭に設定した分、第１端壁一側又は他側に隣接して配置されるカプラハウジングのハウジングからの側方張り出し量が減少することになり、電磁アクチュエータＡのコンパクト化を図ることができる。
【００５４】
さらにまた本発明の第４の特徴によれば、第１〜３の特徴の何れかに加えて、前記ハウジングの支持体へのねじ止めに使用する取り付けボスを前記側壁に、その内面側に突出するように形成する一方、この取り付けボスの突出端部を受容し得る逃げ孔を前記コイルカバーの相対向する両側壁に設けたので、前記第１及び第２使用態様時でも、取り付けボスに干渉されることなく、コイルカバーをハウジングに取り付けることができる。しかも取り付けボスには、有効長がハウジングの板厚より充分に長いねじ孔を形成でき、支持体へのねじ止めを強固に行うことができる。
【００５５】
さらにまた本発明の第５の特徴によれば、第１〜４の特徴の何れかに加えて、前記コイルカバーに、前記可動プランジャの外端部外周を覆うプランジャカバーと、前記可動プランジャの外端部に連結したジョイント部材の円形フランジに係合して該ジョイント部材の外方移動を規制するストッパ腕とを一体に成形したので、前記第１及び第２使用態様の何れのときでも、可動プランジャのハウジング外に露出した部分をコイルカバーと一体のプランジャカバーで覆い、塵埃の侵入や他物との接触から保護することができると共に、プランジャカバーと一体のストッパ腕により可動プランジャの抜け出しを防止することができ、したがって簡単な構造をもって、電磁アクチュエータの運搬その他の取り扱い中、可動プランジャが脱落することを防ぎ、その取り扱いがし易くなる。またその際、ストッパ腕に係合するジョイント部材のフランジを円形とすることにより、可動プランジャの如何なる回動位置でも、該フランジとストッパ腕との係合を常に確実に行うことができる。
【図面の簡単な説明】
【図１】  本発明に係る電磁アクチュエータの縦断平面図。
【図２】  図１の２−２線断面図。
【図３】  図１の３矢視図。
【図４】  図１の４矢視図。
【図５】  図１の５−５線断面図。
【図６】  同電磁アクチュエータのハウジングの斜視図。
【図７】  同電磁アクチュエータのカバー組立体の一端側から見た斜視図。
【図８】  同カバー組立体の他端側から見た斜視図。
【図９】  同電磁アクチュエータの組立工程説明図。
【符号の説明】
Ａ・・・・・電磁アクチュエータ
１・・・・・ハウジング
１ａ・・・・第１端壁
１ｂ・・・・第２端壁
１ｃ・・・・側壁
２・・・・・ボビン
３・・・・・コイル
５・・・・・固定コア
６・・・・・可動プランジャ
７・・・・・カバー組立体
７ａ・・・・コイルカバー
７ｂ・・・・プランジャカバー
７ｃ・・・・嵌合取り付け部
２４・・・・ジョイント部材
２５・・・・戻しばね
３１・・・・フランジ
３４・・・・カプラ端子
３５・・・・カプラ
４１・・・・位置決め手段（カプラ保持部）
４２・・・・逃げ孔
４３・・・・中空部
４５・・・・ストッパ腕
【図１】
0003954806.tif 000002
【図２】
0003954806.tif 000003
【図３】
0003954806.tif 000004
【図４】
0003954806.tif 000005
【図５】
0003954806.tif 000006
【図６】
0003954806.tif 000007
【図７】
0003954806.tif 000008
【図８】
0003954806.tif 000009
【図９】
0003954806.tif 000010